(57)【特許請求の範囲】
【請求項１】
基地局が端末装置と機能をインタラクトし、前記端末装置の受信用ラジオ波が支援する最大連続帯域幅、前記端末装置の送信用ラジオ波が支援する最大連続帯域幅を含む前記端末装置の機能を取得するステップと、
前記基地局が前記端末装置にメッセージを送信し、前記端末装置が前記メッセージを受信した後、ハードウェアの再構成を行うステップと、
前記基地局が前記端末装置がハードウェアの再構成を完成したと確定し、前記端末装置と調節された後のキャリアにおいて通信を行うステップと、を含むことを特徴とする端末装置のハードウェアの再構成に基づく通信の実現方法。
【請求項２】
前記メッセージが、前記端末装置にメインキャリアの変換を指示する、又は前記端末装置に領域のハンドオフを指示する、又は前記端末装置の一つ又は複数のサブキャリアをアクティブにするためのメッセージであることを特徴とする請求項１に記載の端末装置のハードウェアの再構成に基づく通信の実現方法。
【請求項３】
前記メインキャリアの変換とは、前記端末装置のメインキャリアを現在のキャリアからターゲットメインキャリアに変換することを指し、
前記領域のハンドオフとは、前記端末装置が動作する領域を現在の領域からターゲット領域にハンドオフすることを指し、
前記端末装置の一つ又は複数のサブキャリアをアクティブにするとは、前記端末装置のために一つ又は複数のサブキャリアをアクティブにすることを指し、前記一つ又は複数のサブキャリアは前記端末装置の現在のラジオ波ルートが動作中のキャリアと連続する周波数帯域のキャリアであり、
前記ターゲットメインキャリアは前記端末装置に既に割り当てたが、アクティブにしていないキャリアを言い、
前記ターゲット領域は前記現在の領域と同一のキャリアに位置しない、
ことを特徴とする請求項２に記載の端末装置のハードウェアの再構成に基づく通信の実現方法。
【請求項４】
前記ハードウェアの再構成が、端末装置のラジオ波周波数ポイントの調節、端末装置の高速フリエポイント数の調節の中の少なくとも一つを含むことを特徴とする請求項１に記載の端末装置のハードウェアの再構成に基づく通信の実現方法。
【請求項５】
前記メッセージが、キャリア管理命令メッセージ、レンジング応答メッセージ、領域ハンドオフメッセージ、ハンドオフ命令メッセージの中の一つを含むことを特徴とする請求項１に記載の端末装置のハードウェアの再構成に基づく通信の実現方法。
【請求項６】
前記端末装置の機能が、前記端末装置のハードウェアの再構成に必要な時間長をさらに含むことを特徴とする請求項１に記載の端末装置のハードウェアの再構成に基づく通信の実現方法。
【請求項７】
前記基地局と前記端末装置が、
事前認証機能要請メッセージ及び事前認証機能応答メッセージと、
登録要請メッセージ及び登録応答メッセージと、
マルチキャリア要請メッセージ及びマルチキャリア応答メッセージと、の中の一つを介し、機能をインタラクトすることを特徴とする請求項１又は６に記載の端末装置のハードウェアの再構成に基づく通信の実現方法。
【請求項８】
前記基地局が前記端末装置がハードウェアの再構成を完成したかを確定するステップが、
前記基地局が、前記メッセージを送信した時刻からカウントし、予め設定した時刻になると、前記端末装置がハードウェアの再構成を完成したと確定するステップを含み、
前記予め設定した時刻と前記メッセージを送信した時刻との間の長さが、前記端末装置のハードウェアの再構成に必要な時間長、又は前記端末装置のハードウェアの再構成に必要な時間長と予め設定した時間長との合計に等しく、前記予め設定した時間長は前記端末装置が帯域幅を調節して同期又はレンジングを行う時間長であることを特徴とする請求項６に記載の端末装置のハードウェアの再構成に基づく通信の実現方法。
【請求項９】
前記基地局が前記端末装置に前記メッセージを送信した後、
前記端末装置が前記メッセージを受信した後、ハードウェアの再構成を行い、
前記端末装置が前記基地局に、前記端末装置が既にハードウェアの再構成を完成し、調節された後のキャリアにおいて通信を行う準備ができたことを指示するステップを更に含むことを特徴とする請求項１乃至６の中のいずれかに記載の端末装置のハードウェアの再構成に基づく通信の実現方法。
【請求項１０】
前記端末装置がハードウェアの再構成を行うステップが、
前記端末装置が前記メッセージを受信した後、特定の時刻からハードウェアの再構成を行うステップを含むことを特徴とする請求項９に記載の端末装置のハードウェアの再構成に基づく通信の実現方法。
【請求項１１】
前記特定の時刻が、前記メッセージを受信した時刻又は前記メッセージに指定された動作開始時刻であることを特徴とする請求項１０に記載の端末装置のハードウェアの再構成に基づく通信の実現方法。
【請求項１２】
前記基地局が前記端末装置がハードウェアの再構成を完成したかを確定するステップが、
前記基地局が前記端末装置の指示に応じて前記端末装置がハードウェアの再構成を完成し、調節された後のキャリアにおいて通信を行う準備ができたと確定するステップを含むことを特徴とする請求項９に記載の端末装置のハードウェアの再構成に基づく通信の実現方法。
【請求項１３】
前記端末装置は、
前記基地局に前記端末装置がハードウェアの再構成を完成し、調節された後のキャリアにおいて通信を行う準備ができたことを指示するためのフィードバック情報を載せたフィードバックメッセージを送信し、
前記端末装置が調節された後のキャリアにおいて帯域幅を要請するためのコードを送信し、前記端末装置がハードウェアの再構成を既に完成し、調節された後のキャリアにおいて通信を行う準備ができたことを指示し、
前記端末装置がフィードバックチャネルにおいて確認情報を送信することによって、前記端末装置がハードウェアの再構成を既に完成し、調節された後のキャリアにおいて通信を行う準備ができたことを指示する方式の中の一つを介し、前記基地局に指示することを特徴とする請求項１２に記載の端末装置のハードウェアの再構成に基づく通信の実現方法。
【請求項１４】
前記端末装置が前記基地局にフィードバックメッセージを送信するステップが、
前記基地局が前記端末装置に前記メッセージを送信した後、予め設定したタイマーと前記基地局が前記メッセージを送信した回数を計数するカウンターを起動し、
前記タイマーが時間を超えているが前記基地局が前記端末装置のフィードバックメッセージを受信していないと、ステップ２を実行し、そうでない場合、ステップ５を実行するステップ１と、
前記カウンターが予め設定した閾値に達したかを判定し、達していると、ステップ４を実行し、そうでない場合、ステップ３を実行するステップ２と、
前記基地局が前記メッセージを再び送信し、前記カウンターはカウントアップし、前記タイマーをリセットしてステップ１に返るステップ３と、
前記端末装置が前記基地局と再び同期を実現しなければならないと確定するステップ４と、
前記タイマーと前記カウンターを停止し、前記基地局は前記端末装置と調節された後のキャリアにおいて通信を行うステップ５と、を含むことを特徴とする請求項１３に記載の端末装置のハードウェアの再構成に基づく通信の実現方法。
【請求項１５】
前記端末装置の機能が前記端末装置のハードウェアの再構成に必要な時間長を含む場合、前記基地局が前記端末装置のハードウェアの再構成に必要な時間長に応じて前記タイマーの時間長を設定することを特徴とする請求項１４に記載の端末装置のハードウェアの再構成に基づく通信の実現方法。
【請求項１６】
前記タイマーの時間長が前記端末装置のハードウェアの再構成に必要な時間長と同一であることを特徴とする請求項１５に記載の端末装置のハードウェアの再構成に基づく通信の実現方法。
【請求項１７】
前記基地局が前記端末装置がハードウェアの再構成を既に完成したかを確定するステップが、
前記基地局が前記メッセージを送信した後、前記端末装置に帯域幅ボーリングメッセージを送信し、
前記端末装置が前記基地局から送信された帯域幅ボーリングを受信した後、帯域幅要請メッセージ又は帯域幅要請ヘッドを前記基地局に送信し、
前記基地局は前記端末装置が送信した帯域幅要請メッセージ又は帯域幅要請ヘッドを受信した場合、前記端末装置がハードウェアの再構成を完成したと確定するステップを含むことを特徴とする請求項１乃至６の中のいずれかに記載の端末装置のハードウェアの再構成に基づく通信の実現方法。
【請求項１８】
前記基地局が前記端末装置に帯域幅ボーリングメッセージを送信するステップが、
前記基地局が前記端末装置に帯域幅ボーリングメッセージを送信し、予め設定したタイマーと前記基地局が前記帯域幅ボーリングメッセージを送信した回数を計数するカウンターを起動し、
前記タイマーが時間を超えているが前記基地局は前記端末装置からの帯域幅要請メッセージ又は帯域幅要請ヘッドを受信していないと、ステップ２を実行し、そうでない場合、ステップ５を実行するステップ１と、
前記カウンターが予め設定した閾値に達したかを判定し、達していると、ステップ４を実行し、そうでない場合、ステップ３を実行するステップ２と、
前記基地局が前記帯域幅ボーリングメッセージを再び送信し、前記カウンターはカウントアップし、前記タイマーをリセットし、ステップ１に返るステップ３と、
前記端末装置が前記基地局と再び同期を実現しなければならないと確定するステップ４と、
前記タイマーと前記カウンターを停止し、前記基地局は前記端末装置と調節された後のキャリアにおいて通信を行うステップ５と、を含むことを特徴とする請求項１７に記載の端末装置のハードウェアの再構成に基づく通信の実現方法。
【請求項１９】
端末装置と機能をインタラクトする際、前記端末装置の最大連続帯域幅受信機能と最大連続帯域幅送信能力を取得する取得ユニットと、
取得した端末装置の機能に応じ、端末装置のメインキャリアの変換、領域のハンドオフ又はサブキャリアのアクティブに用いられるメッセージを端末装置に送信する送信ユニットと、
前記端末装置がハードウェアの再構成を完成したかを判定し、完成したと判定された場合、通信ユニットをトリガーする判定ユニットと、
前記端末装置と調節された後のキャリアにおいて通信を行う通信ユニットと、を含むことを特徴とする基地局。
【発明の詳細な説明】
【技術分野】
【０００１】
本発明は、移動通信技術分野に関し、具体的には、端末装置のハードウェア再構成に基づく通信の実現方法及び基地局に関する。
【背景技術】
【０００２】
８０２.１６ｍシステムは、８０２.１６ｅシステムに基づいて進化し、直交周波数多重アクセス（Orthogonal  Frequency  Division  Multiplex  Access、以下ＯＦＤＭＡと略称）技術に基づくマルチキャリアシステムであって、そのプロトコル構造は図１に示すように、単一の媒体アクセス制御（Media  Access  Control、以下ＭＡＣと略称）エンティティによって複数のチャネルを含む物理層（Physical、以下ＰＨＹと略称）を制御し、このようなチャネルは連続する周波数帯域に属するか、又は非連続する周波数帯域に属することができる。
【０００３】
８０２.１６ｅプロトコルを支援する基地局を既存基地局と称し、８０２.１６ｍプロトコルを支援する又は８０２.１６ｅプロトコルと８０２.１６ｍプロトコルを同時に支援する基地局を上級基地局（Advanced  Base  Station、以下ＡＢＳと略称）と称する。既存端末装置は上級基地局にアクセスできるが、上級端末装置は上級基地局にアクセスできると共に既存基地局にもアクセス可能である。上級基地局のタイムゾーン（Time  Zone）は、第１領域（エムゾーンとも呼ばれる。１６ｍ  Ｚｏｎｅ、以下ＭＺｏｎｅと略称）と第２領域（レガシーゾーンとも呼ばれる。Legacy  Zone、以下ＬＺｏｎｅと略称）との二つの領域に分かれる。上級端末装置は第１領域にて動作し、又は既存端末装置の動作方式に変換して第２領域にて動作することもできる。
【０００４】
８０２.１６ｍシステムに、全ての同期、放送、マルチキャスト、ユニキャストの制御情報を含み、マルチキャリアと他のキャリア操作に関する情報及びパラメータを更に含む一つ又は複数の全配置キャリア（Fully  configured  carrier）が存在する。８０２.１６ｍシステムには、ダウンリンク伝送を支援する全ての制御チャネルを含み、ダウンリンク伝送のみに用いられる一つ又は複数の部分配置キャリア（Partially  configured  carrier）も存在する。全配置キャリアを端末装置のメインキャリア（Primary  Carrier）又はサブキャリア（Secondary  Carrier）として用いることができるが、部分配置キャリアは端末装置のサブキャリアとして用いることしかできない。各端末装置には、インタラクティブサービス及び全ての物理層と媒体アクセス制御層の、例えばネットワークアクセスなどの動作を制御するための制御情報を運ぶメインキャリアが一つしか存在しない。また、各端末装置には、一つ又は複数のサブキャリアが存在することができ、サブキャリアが存在しないこともでき、サブキャリアは基地局の特定の命令及び規則によって端末装置に割り当てたサービス伝送用キャリアであって、サブキャリアにおいてマルチキャリア操作を支援する制御シグナリングを送信することもできる。
【０００５】
現在、マルチキャリア操作を支援する端末装置は、単一ルート（single  radio）とマルチルート（multiple  radio）の二つがある。１ルートは物理層の１ラジオ波ブロック（Radio  Frequency、以下ＲＦと略称）に対応する。
【０００６】
８０２.１６ｍマルチキャリアシステムにおいて、単一ルート又はマルチルートの端末装置の連続する帯域幅を支援する各ルートの最大能力は異なり、ここで、一つ又は複数のルートは様々なアップリンク、ダウンリンク帯域幅を支援することができ、このような端末装置が基地局とデータをインタラクトする場合、基地局は端末装置の負荷状況及び帯域幅能力に応じて端末装置に一つ又は複数のサブキャリアを割り当ててデータを伝送し、その後に割り当てたサブキャリアが端末装置のあるルートが動作中のキャリアと連続する周波数帯域であると、一つの連続する大帯域幅を形成する。当該状況において、端末装置はサブキャリアを割り当てた後の帯域幅に応じて該ルートの動作帯域幅を調節することができる。例えば、単一ラジオ波端末装置が支援可能の最大帯域幅が１０ＭＨｚであって、該端末装置が５ＭＨｚの帯域幅で動作を開始し、基地局が、現在チャネルと周波数帯域上で連続し、帯域幅が５ＭＨｚである該端末装置のサブキャリアをアクティブにした後、端末装置は該ルートの動作帯域幅を１０ＭＨｚに調節して動作を続けることができる。また、端末装置はチャネル品質、負荷状況などによってメインキャリアの変換又は領域のハンドオフを行うことがあるが、ここで、メインキャリアの変換とは、現在メインキャリア周波数にて動作中のラジオ波ルートを他のキャリア周波数に調節し、該キャリアが該端末装置の新たなメインキャリアとなることを指し、領域のハンドオフとは、端末装置が第１領域から第２領域にハンドオフして動作し、又は第２領域から第１領域にハンドオフして動作することを指す。
【０００７】
前記において、端末装置がメインキャリアの変換（該ターゲットメインキャリアは基地局が既に端末装置に割り当てたが、アクティブになっていないキャリアである）を行う場合、又は領域のハンドオフ（該ターゲット領域は、現在領域と異なるキャリアに位置する）を行う場合、又は端末装置のあるラジオ波ルートが動作帯域幅の調節を行う場合、端末装置は、ラジオ波周波数ポイントの調節、高速フーリエ変換ポイント数の調節（Fast  Fourier  Transformation）などを含むハードウェアの再構成を行わなければならない。しかし、既存技術において、再構成を行う場合、該ルートの元のキャリアにおける通信を中断し、端末装置がハードウェアの再構成を完成した後、端末装置と基地局が調節された後のキャリアにおいて継続して通信を行わなければならず、このような場合における通信の実現方法は開示されていない。
【発明の概要】
【発明が解決しようとする課題】
【０００８】
本発明は、既存技術において端末装置がハードウェアの再構成を行う際の通信の実現方法が開示されていないので、通信を中断しなければならない問題に鑑み、端末装置のハードウェアの再構成に基づく通信の実現方法を提供することを目的とする。
【課題を解決するための手段】
【０００９】
本発明の一態様によると、基地局が、端末装置にメインキャリアの変換又は領域のハンドオフを指示するためのメッセージ又は端末装置の一つ又は複数のサブキャリアをアクティブにするためのメッセージを端末装置に送信し、端末装置は該メッセージを受信した後ハードウェアの再構成を行い、基地局は端末装置がハードウェアの再構成を完成したことを確定した後、調節された後のキャリアにおいて端末装置と通信を行うステップを含む端末装置のハードウェアの再構成に基づく通信の実現方法を提供する。
【００１０】
メインキャリアの変換とは、端末装置のメインキャリアを現在のメインキャリアからターゲットメインキャリアに変換することを指し、ここで、ターゲットメインキャリアは基地局が既に端末装置に割り当てたが、アクティブにしていないキャリアを指す。領域のハンドオフとは、端末装置を現在の領域からターゲット領域にハンドオフすることを指し、ここで、ターゲット領域は現在の領域と異なるキャリアに位置する。端末装置の一つ又は複数のサブキャリアをアクティブにするとは、端末装置のために一つ又は複数のサブキャリアをアクティブにすることを指し、該一つ又は複数のサブキャリアは端末装置の現在のラジオ波ルートが動作中のキャリアと連続する周波数帯域のキャリアであることが好ましい。
【００１１】
本発明の他の一態様によると、基地局を提供する。
本発明による基地局は、取得ユニットと、送信ユニットと、判定ユニットと、通信ユニットと、を含む。ここで、取得ユニットは、端末装置と機能をインタラクトする際に端末装置の最大連続帯域幅の受信能力及び最大連続帯域幅の送信能力を取得する。送信ユニットは、取得した端末装置の機能に応じ、端末装置のメインキャリアの変換、領域のハンドオフ又はサブキャリアのアクティブに用いられるメッセージを端末装置に送信する。判定ユニットは、端末装置がハードウェアの再構成を完成したかを判定し、完成したと判定されると、通信ユニットをトリガーする。通信ユニットは、調節された後のキャリアにおいて端末装置と通信を行う。
【発明の効果】
【００１２】
本発明によると、基地局が端末装置にメッセージを送信して端末装置にメインキャリアの変換、領域のハンドオフ又はサブキャリアのアクティブを通知し、端末装置は該メッセージを受信した後、ハードウェアの再構成を行い、基地局は端末装置がハードウェアの再構成を完成したと判定した後、継続して端末装置と調節された後のキャリアにおいて通信を行うことによって、端末装置のハードウェアの再構成中に通信が中断されることを防止し、無線リソースの利用率を向上できる。
【００１３】
本発明の他の特徴及びメリットは明細書において説明し、明細書からさらに明確になる、又は本発明を実施することによって把握できる。本発明の目的及び他のメリットは、明細書、特許請求の範囲、図面に特別に指摘された構造によって実現することができる。
ここで説明する図面は本発明を理解させるためのものであり、本発明の一部を構成し、本発明における実施形態と共に本発明を解釈し、本発明を不当に限定するものではない。
【図面の簡単な説明】
【００１４】
【図１】関連技術に係るマルチキャリアシステムの構造を示す図である。
【図２】本発明の実施形態に係る端末装置のハードウェアの再構成に基づく通信の実現方法を示すフローチャートである。
【図３】実施形態１のフローチャートである。
【図４】実施形態２のフローチャートである。
【図５】実施形態３のフローチャートである。
【図６】実施形態４のフローチャートである。
【図７】実施形態５のフローチャートである。
【図８】実施形態６のフローチャートである。
【図９】実施形態７のフローチャートである。
【図１０】本発明の実施形態に係る基地局の構造を示す図である。
【発明を実施するための形態】
【００１５】
端末装置がハードウェアの再構成を行う場合、再構成を行う時間内において、元のキャリアにおける端末装置の再構成のルートの通信は中断される。当該問題に鑑み、本発明の実施形態によると、端末装置のハードウェアの再構成に基づく通信の実現方法を提供する。本発明の実施形態において、基地局はメッセージを送信して端末装置にメインキャリアの変換、領域のハンドオフ又はサブキャリアのアクティブを行うように通知し、端末装置は該メッセージを受信した後にハードウェアの再構成を行い、基地局は端末装置がハードウェアの再構成を完成したかを判定し、基地局は端末装置がハードウェアの再構成を完成したことを判定した後、継続して端末装置と調節された後のキャリアにおいて通信を行う。
【００１６】
ここで、互いに矛盾しない限り、本発明における実施形態及び実施形態に開示された特徴を結合することができる。
【００１７】
以下、図面に合わせ、本発明の好適な実施形態を説明する。ここで、以下に説明する好適な実施形態は本発明を説明し、解釈するためのものであり、本発明はこれらに限定されない。
【００１８】
本発明の実施形態によると、まず、端末装置のハードウェアの再構成に基づく通信の実現方法を提供する。
【００１９】
図２は、本発明の実施形態に係る端末装置のハードウェアの再構成に基づく通信の実現方法を示すフローチャートであり、図２に示すように、本発明の実施形態による端末装置のハードウェアの再構成に基づく通信の実現方法は、次のステップ（ステップ２０１〜ステップ２０３）を含む。
【００２０】
基地局は、端末装置にメッセージを送信する（ステップ２０１）。該メッセージは端末装置にメインキャリアを変換するように指示する、又は端末装置に領域をハンドオフするように指示する、又は端末装置の一つ又は複数のサブキャリアをアクティブにするためのメッセージである。端末装置は該メッセージを受信した後、ハードウェアの再構成を行う。
【００２１】
本発明の実施形態において、端末装置が行うハードウェアの再構成は、端末装置のラジオ波周波数ポイントの調節又は端末装置の高速フーリエ（ＦＦＴ）ポイント数の調節を含むが、これに限定されることはない。
【００２２】
具体的には、メインキャリアの変換とは、端末装置のメインキャリアを現在のメインキャリアからターゲットメインキャリアに切り替えることを指し、ここで、ターゲットメインキャリアは基地局が既に該端末装置に割り当てたが、アクティブにしていないキャリアである。
【００２３】
領域のハンドオフとは、端末装置を現在の領域からターゲット領域にハンドオフすることを指し、ここで、ターゲット領域は現在の領域と異なるキャリアに位置し、具体的には、第１領域から第２領域に、又は第２領域から第１領域にハンドオフすることができる。
【００２４】
端末装置の一つ又は複数のサブキャリアをアクティブにすることは、端末装置のために、一つ又は複数のサブキャリアをアクティブにすることを指し、該一つ又は複数のサブキャリアは端末装置の現在のあるラジオ波ルートが動作中のキャリアと連続する周波数帯域のキャリアである。
【００２５】
実際の実施中において、前記メッセージは、キャリア管理命令メッセージ（AAI−CM−CMD）、レンジング応答メッセージ（AAI-RNG-RSP）、領域ハンドオフメッセージ（AAI-ZS-CMD）、ハンドオフ命令メッセージ（AAI−HO−CMD）を含むが、これらに限定されることはない。
【００２６】
実際の実施中において、基地局は、端末装置にメインキャリアの変換、領域のハンドオフ又はサブキャリアのアクティブに用いられる前記メッセージを送信する前に、先ず端末装置と能力のインタラクティブを行って、端末装置の機能を取得することができる。具体的には、端末装置の能力は、端末装置の受信用ラジオ波の支援する最大連続帯域幅、端末装置の送信用ラジオ波の支援する最大連続帯域幅を含むが、これに限定されることはない。
【００２７】
実際の実施中において、基地局が端末装置と行う前記機能のインタラクティブは、マルチキャリアの基本機能のインタラクティブ、マルチキャリアの具体的な機能のインタラクティブ、マルチキャリアの機能以外の他の機能のインタラクティブの中の一つを含むが、これに限定されることはない。
【００２８】
実際の応用において、基地局と端末装置は、事前認証（Pre-Authentication）機能要請/応答メッセージ（AAI-SBC-REQ/RSP）、登録要請/応答メッセージ（AAI-REG-REQ/RSP）、マルチキャリア要請/応答メッセージ（AAI-MC-REQ/RSP）の中のいずれかを介し、機能をインタラクトすることができるが、これに限定されることはない。
【００２９】
実際の実施中において、端末装置が単一ラジオ波の端末装置であると、基地局は、端末装置に前記メッセージを送信した後、端末装置との通信を一時的に中断する。端末装置がマルチラジオ波の端末装置であると、基地局は、端末装置に前記メッセージを送信した後、元のキャリアにおける前記ラジオ波ルートの通信を一時的に中断することによって、端末装置が該ラジオ波ルートの元のキャリアにおける通信を中断することによって基地局が送信したデータを受信することができず、基地局が送信したデータを失ってしまうことを防止することができる。
【００３０】
基地局は端末装置がハードウェアの再構成を完成したことを確定した後、調節された後のキャリアにおいて継続して端末装置と通信を行う（ステップ２０３）。
【００３１】
実際の実施中において、前記機能のインタラクト中において、端末装置と基地局は端末装置のハードウェアの再構成に必要な時間を協議することができ、具体的には、端末装置がラジオ波周波数ポイントを調節するに必要な時間、端末装置がＦＦＴポイント数を調節するに必要な時間を含み、即ち、基地局が取得した端末装置の前記機能に前記時間長を含ませることができ、また、端末装置と基地局が前記時間長を協議しないこともできる。このような二つの状況について、本発明の実施形態はステップ２０３の異なる実現方式を次のように説明する。
【００３２】
（一）端末装置のハードウェアの再構成に必要な時間長を協議する場合、
このような場合において、端末装置は基地局が送信した前記メッセージを受信した後、特定の時刻から、ラジオ波周波数ポイントの調節、ＦＦＴポイント数の調節の中の一つを含むハードウェアの再構成を開始する。ここで、前記特定の時刻とは、前記メッセージを受信した時刻又は前記メッセージに指定された動作開始時刻を指す。具体的には、基地局は端末装置に送信する前記メッセージに端末装置のハードウェアの再構成に必要な時間長を含ませることができ、端末装置のハードウェアの再構成に必要な時間長を含ませないこともできる。該時間長を含む場合、端末装置は該メッセージから前記時間長を取得することができる。該時間長を含まない場合、端末装置は機能のインタラクティブにおいてインタラクトした時間パラメータに応じて特定の時刻から該時間パラメータが指示する時間までにおいて、ハードウェアの再構成を行うことができる。また、前記時間はメッセージの伝送遅延を含まなければならない。
【００３３】
具体的には、前記状況において、基地局は次のような三つの方法によって端末装置がハードウェアの再構成を完成したかを確定することができる。（一）端末装置が、ハードウェアの再構成を完成し、調節された後のキャリアにおいて通信を行う準備ができた後、基地局に指示し、基地局は端末装置の指示に基づいて端末装置が再構成を既に完成したことを確定する。（二）基地局が、前記メッセージを送信した時刻から帯域幅ボーリングメッセージを介し、端末装置が再構成を完成したかを確定する。（三）基地局が、前記メッセージを送信した時刻からカウントし、予定の時刻になると、端末装置がハードウェアの再構成を完成したことを確定する。具体的には、予定の時刻と前記メッセージを送信した時刻との差は、端末装置のハードウェアの再構成に必要な時間長に等しいとすることができ、又は端末装置のハードウェアの再構成に必要な時間長と予定の時間長の合計であるとすることができる。ここで、予定の時間長は、端末装置が帯域幅を調節して同期又はレンジングを行うのに必要な時間長である。
【００３４】
例えば前記一番目の方式を用いる場合、端末装置は次の方式における一つによって基地局に端末装置がハードウェアの再構成を完成したことを通知することができる。
【００３５】
（１）端末装置が基地局にフィードバックメッセージを送信する。ここで、該フィードバックメッセージに端末装置が既にハードウェアの再構成を完成し、調節された後のキャリアにおいて通信を行う準備ができたことを指示するフィードバック情報が含まれる。具体的には、該フィードバックメッセージは端末装置が既にハードウェアの再構成を完成し、調節された後のキャリアにおいて通信を行う準備ができたことを確定するためのユニキャストの新たなフィードバックメッセージであってもよく、端末装置が既にハードウェアの再構成を完成し、調節された後のキャリアにおいて通信を行う準備ができたことを確定するための確認情報を含ませた既存のフィードバックメッセージ、例えば、キャリア管理確認メッセージ（AAI-CM-IND）であってもよい。この場合、基地局は端末装置に、端末装置が指示を送信するに必要な帯域幅を割り当てなければならない。
【００３６】
実際の実施中において、基地局は端末装置に前記メッセージを送信した後、予め設置したタイマーとカウンターを起動し、以下のステップを行うことができるが、ここで、カウンターは基地局が該メッセージを送信した回数を計数し、タイマーに設定された時間長は予め設定された値であり、具体的には、端末装置のハードウェアの再構成に必要な時間長に応じて設定することができ、前記タイマーの時間長が端末装置のハードウェアの再構成に必要な時間長と同じであることが好ましい。
【００３７】
タイマーが時間を超えているが、基地局は前記端末装置のフィードバックメッセージを受信していない場合、ステップ２を実行し、そうでない場合、ステップ５を実行する。（ステップ１）。
【００３８】
カウンターが予め設定した閾値に達したかを判定し、達していると、ステップ４を実行し、そうでない場合、ステップ３を実行する（ステップ２）。
【００３９】
基地局は前記メッセージを再び送信し、カウンターでカウントアップしてタイマーをリセットし、ステップ１に戻る（ステップ３）。
【００４０】
端末装置が基地局と再び同期を実現しなければならないと確定する（ステップ４）。
【００４１】
タイマーとカウンターを停止し、基地局は端末装置と調節された後のキャリアにおいて再び通信を開始する（ステップ５）。
【００４２】
（２）端末装置が調節された後のキャリアにおいて帯域幅を要請するためのコードを送信し、端末装置が既にハードウェアの再構成を完成し、調節された後のキャリアにおいて通信を行う準備ができたことを指示する。
【００４３】
（３）端末装置はフィードバックチャネルにおいて調節完成確認情報を送信し、端末装置が既にハードウェアの再構成を完成し調節された後のキャリアにおいて通信を行う準備ができたことを指示する。
【００４４】
例えば前記二番目の方式を用いる場合、基地局は次のステップによって端末装置がハードウェアの再構成を完成したかを確定することができる。
【００４５】
基地局が端末装置に帯域幅ボーリングメッセージを送信する（ステップ１）。
【００４６】
端末装置は、基地局が送信した帯域幅ボーリングメッセージを受信した後、基地局に帯域幅要請メッセージ又は帯域幅要請ヘッドを送信する（ステップ２）。
【００４７】
基地局は、端末装置が送信した帯域幅要請メッセージ又は帯域幅要請ヘッドを受信した場合、端末装置がハードウェアの再構成を完成したことを確定する（ステップ３）。
【００４８】
具体的には、前記ステップ１〜ステップ３は次のステップによって実現される。
【００４９】
基地局は、端末装置に帯域幅ボーリングメッセージを送信し、予め設定したタイマーとカウンターを起動し（ステップ１１）、ここで、カウンターは基地局が帯域幅ボーリングメッセージを送信した回数を計数する。
【００５０】
タイマーが時間を超えているが、基地局は端末装置が返信した帯域幅要請メッセージ又は帯域幅要請ヘッドを受信していないと、ステップ１３を実行し、そうでない場合、ステップ１６を実行する（ステップ１２）。
【００５１】
カウンターが予め設定した閾値に達したかを判定し、達していると、ステップ１５を実行し、そうでない場合、ステップ１４を実行する（ステップ１３）。
【００５２】
基地局は、帯域幅ボーリングメッセージを再び送信し、カウンターでカウントアップしてタイマーをリセットし、ステップ１２に返る（ステップ１４）。
【００５３】
端末装置が基地局と再び同期を実現しなければならないと確定する（ステップ１５）。
【００５４】
タイマーとカウンターを停止し、基地局は端末装置と調節された後のキャリアにおいて通信を開始する（ステップ１６）。
【００５５】
（二）端末装置のハードウェアの再構成時間を協議しない場合
具体的には、この場合、基地局は次のような二つの方法によって端末装置がハードウェアの再構成を完成したと確定することができる。（一）端末装置がハードウェアの再構成を完成し、調節された後のキャリアにおいて通信を行う準備ができた後、基地局に指示し、基地局は端末装置の指示に応じて端末装置がハードウェアの再構成を既に完成したと確定する。（二）基地局が、前記特定の時刻から帯域幅ボーリングメッセージを介し、端末装置がハードウェアの再構成を完成し、調節された後のキャリアにおいて通信を行う準備ができたかを確定する。このような二つの方式の具体的な実施形態は前記（一）に類似するため、説明は省略する。
【００５６】
本発明の実施形態により提供される前記技術案を更に理解するため、以下、具体的な実施形態によって説明する。
【００５７】
実施形態１
本実施形態において、基地局は端末装置に、現在のラジオ波ルートのワーキング周波数帯域に連続する周波数帯域の一つ又は複数のサブキャリアを割り当て、端末装置と基地局は機能をインタラクトする際、端末装置のハードウェアの再構成時間を協議し、基地局は端末装置の指示に応じて端末装置が既にハードウェアの再構成を完成したかを確定する。
【００５８】
図３は、本実施形態のフローチャートであり、端末装置と基地局間の通信実現方法は以下のステップを含む。
【００５９】
端末装置と基地局はマルチキャリア要請/応答メッセージ（AAI-MC-REQ/RSP）を介し、端末装置のハードウェアの再構成時間、端末装置の受信用ラジオ波が支援する最大連続帯域幅、端末装置の送信用ラジオ波が支援する最大連続帯域幅をインタラクトする（ステップ３０１）。
【００６０】
基地局はＡＡＩ−ＣＭ−ＣＭＤメッセージを用い、端末装置に割り当てた一つ又は複数のサブキャリアをアクティブにし、基地局はＡＡＩ−ＣＭ−ＣＭＤメッセージを送信した後、タイマーとカウンターを起動し（ステップ３０２）、ここで、カウンターは基地局がＡＡＩ−ＣＭ−ＣＭＤメッセージを送信した回数を計数する。
【００６１】
端末装置はＡＡＩ−ＣＭ−ＣＭＤメッセージを受信した後、特定の時刻からハードウェアの再構成時間パラメータが指示した時間までにおいて、ハードウェアの再構成、例えばラジオ波周波数ポイントの調節を行う（ステップ３０３）。
【００６２】
端末装置は、ハードウェアの再構成を完成し、調節された後のキャリアにおいて通信を行う準備ができた後、基地局が割り当てた帯域幅にて基地局にユニキャストのフィードバックメッセージを送信し、基地局はタイマーが時間を超える前に該フィードバックメッセージを受信していると継続して端末装置と新たな帯域幅において通信を行う（ステップ３０４）。
【００６３】
実施形態２
実施形態において、基地局は端末装置に一つ又は複数のサブキャリアを割り当て、端末装置と基地局が機能をインタラクトする際、端末装置のハードウェアの再構成の時間パラメータを協議し、基地局は帯域幅ボーリングメッセージを介し、端末装置が既にハードウェアの再構成を完成したかを確定する。
【００６４】
図４は本実施形態のフローチャートであり、図４に示すように、本実施形態において、端末装置と基地局との間の通信の実現方法は以下のステップを含む。
【００６５】
端末装置と基地局はマルチキャリア要請/応答メッセージ（AAI-MC-REQ/RSP）を介し、端末装置のハードウェアの再構成時間、端末装置の受信用ラジオ波が支援する最大連続帯域幅、端末装置の送信用ラジオ波が支援する最大連続帯域幅をインタラクトする（ステップ４０１）。
【００６６】
基地局はＡＡＩ−ＣＭ−ＣＭＤを用い、割り当てた一つ又は複数のサブキャリアをアクティブにする（ステップ４０２）。
【００６７】
端末装置はＡＡＩ−ＣＭ−ＣＭＤメッセージを受信した後、特定の時刻からハードウェアの再構成時間パラメータが指示した時間までにおいて、ハードウェアの再構成、例えばラジオ波周波数ポイントの調節を行う（ステップ４０３）。
【００６８】
端末装置は、ハードウェアの再構成を完成し、調節された後のキャリアにおいて通信を行う準備ができた後、フィードバック情報を送信せず、基地局は自発的に新たな帯域幅において端末装置に帯域幅ボーリングメッセージを送信し、端末装置は基地局に帯域幅要請メッセージ又は帯域幅要請ヘッドを送信し、端末装置が再構成を完成し、調節された後のキャリアにおいて通信を行う準備ができたことを示す（ステップ４０４）。基地局は、帯域幅ボーリングメッセージを送信した後、一つのタイマーと一つのカウンターを設定し、タイマーが時間を超えているが端末装置の帯域幅要請を受信していないと、端末装置が再構成を完成していないと認定し、ボーリングメッセージを再び送信し、カウンターに１をカウントアップし、カウンターが予め設定された閾値に達する前に端末装置の帯域幅要請を受信しているとタイマーとカウンターを停止し、端末装置と新たな帯域幅における通信を開始し、カウンターが予め設定した閾値を超えているが端末装置の帯域幅要請を受信していないと、端末装置が基地局と同期を再び実現しなければならないと認定する。
【００６９】
実施形態３
本実施形態において、基地局は端末装置に一つ又は複数のサブキャリアを割り当て、端末装置と基地局が能力をインタラクトする際、端末装置のハードウェアの再構成時間を協議せず、基地局は端末装置の指示に応じて端末装置がハードウェアの再構成を既に完成したかを確定する。
【００７０】
図５は本実施形態のフローチャートであり、図５に示すように、本実施形態において、端末装置と基地局間の通信の実現方法は以下のステップを含む。
【００７１】
端末装置と基地局はマルチキャリア要請/応答メッセージ（AAI-MC-REQ/RSP）を介し、端末装置の受信用ラジオ波が支援する最大連続帯域幅、端末装置の送信用ラジオ波が支援する最大連続帯域幅をインタラクトする（ステップ５０１）。
【００７２】
基地局はＡＡＩ−ＣＭ−ＣＭＤメッセージを用い、端末装置の一つ又は複数のサブキャリアをアクティブにし、基地局はＡＡＩ−ＣＭ−ＣＭＤメッセージを送信した後、タイマーとカウンターを起動し（ステップ５０２）、ここで、カウンターは基地局がＡＡＩ−ＣＭ−ＣＭＤメッセージを送信した回数を計数する。
【００７３】
端末装置はキャリアをアクティブにするためのメッセージを受信した後、特定の時刻からハードウェアの再構成、例えばラジオ波周波数ポイントの調節を行って、基地局は端末装置に端末装置がハードウェアの再構成を完成した指示を送信するに必要な帯域幅を割り当てる（ステップ５０３）。
【００７４】
端末装置は、ハードウェアの再構成を完成し、調節された後のキャリアにおいて通信を行う準備ができた後、基地局が割り当てた前記帯域幅において基地局にユニキャストのフィードバックメッセージを送信し、基地局はタイマーが時間を超える前に該フィードバックメッセージを受信していると端末装置のハードウェアの再構成を完成したと確定し、継続して端末装置と新たな帯域幅において通信を行う（ステップ５０４）。
【００７５】
実施形態４
本実施形態において、基地局は端末装置に一つ又は複数のサブキャリアを割り当て、端末装置と基地局は機能をインタラクトする際、端末装置がラジオ波周波数ポイントを調節するに必要な時間を協議せず、基地局は帯域幅ボーリングメッセージを介し、端末装置がハードウェアの再構成を既に完成したかを確定する。
【００７６】
図６は本実施形態のフローチャートであり、図６に示すように、本実施形態において、端末装置と基地局間の通信の実現方法は以下のステップを含む。
【００７７】
端末装置と基地局はマルチキャリア要請/応答メッセージ（AAI-MC-REQ/RSP）を介し、端末装置の受信用ラジオ波が支援する最大連続帯域幅、端末装置の送信用ラジオ波が支援する最大連続帯域幅をインタラクトする（ステップ６０１）。
【００７８】
基地局はＡＡＩ−ＣＭ−ＣＭＤメッセージを用い、端末装置の一つ又は複数のサブキャリアをアクティブにする（ステップ６０２）。
【００７９】
端末装置はＡＡＩ−ＣＭ−ＣＭＤメッセージを受信した後、特定の時刻からハードウェアの再構成を開始する（ステップ６０３）。
【００８０】
基地局は前記特定の時刻から自発的に新たな帯域幅において端末装置に帯域幅ボーリングを送信し、端末装置は基地局に帯域幅要請メッセージ又は帯域幅要請ヘッドを送信し、再構成を完成し、調節された後のキャリアにおいて通信を行う準備ができたことを示す（ステップ６０４）。基地局は帯域幅ボーリングを送信した後、タイマーとカウンターを設定し、タイマーが時間を超えているが端末装置の帯域幅要請を受信していないと、端末装置が調節を完成していないと認定し、基地局はボーリングメッセージを再び送信し、カウンターに１をカウントアップし、カウンターが予め設定した閾値に達する前に端末装置の帯域幅要請を受信しているとタイマーとカウンターを停止し、端末装置と新たな帯域幅における通信を開始し、カウンターが予め設定した閾値を超えているが端末装置の帯域幅要請を受信していないと、端末装置が基地局と再び同期を実現しなければならないと確定する。
【００８１】
実施形態５
本実施形態において、基地局は端末装置にメインキャリアの変換を指示し、そのターゲットメインキャリア（端末装置があるメインキャリアにハンドオフしようとすると、該メインキャリアをターゲットメインキャリアと称する）は基地局が端末装置に割り当てたがアクティブにしていないキャリアである。端末装置と基地局が機能をインタラクトする際、端末装置のハードウェアの再構成時間を協議し、基地局は端末装置の指示に応じて端末装置がハードウェアの再構成を完成したかを確定する。
【００８２】
図７は本実施形態のフローチャートであり、端末装置と基地局間の通信の実現方法は以下のステップを含む。
【００８３】
端末装置と基地局はマルチキャリア要請/応答メッセージ（AAI-MC-REQ/RSP）を介し、端末装置のハードウェアの再構成時間、端末装置の受信用ラジオ波が支援する最大連続帯域幅、端末装置の送信用ラジオ波が支援する最大連続帯域幅をインタラクトする（ステップ７０１）。
【００８４】
基地局はＡＡＩ−ＣＭ−ＣＭＤメッセージによってメインキャリアの変換を端末装置に指示し、基地局はＡＡＩ−ＣＭ−ＣＭＤメッセージを送信した後、タイマーとカウンターを起動し（ステップ７０２）、ここで、カウンターは基地局がＡＡＩ−ＣＭ−ＣＭＤメッセージを送信した回数を計数する。
【００８５】
端末装置はＡＡＩ−ＣＭ−ＣＭＤメッセージを受信した後、特定の時刻からハードウェアの再構成時間パラメータが指示した時間までにおいて、ハードウェアの再構成を行う（ステップ７０３）。
【００８６】
端末装置は、ハードウェアの再構成を完成し、調節された後のキャリアにおいて通信を行う準備ができた後、基地局が割り当てた帯域幅において基地局にユニキャストのフィードバックメッセージを送信し、基地局はタイマーが時間を超えているが該フィードバックメッセージを受信していないと、継続して端末装置と新たな帯域幅において通信を行う（ステップ７０４）。
【００８７】
実施形態６
本実施形態において、基地局はメインキャリアの変換を端末装置に指示し、そのターゲットメインキャリア（端末装置があるメインキャリアに変換しようとすると、該メインキャリアをターゲットメインキャリアと称する）は基地局が端末装置に割り当てたがアクティブにしていないキャリアである。端末装置と基地局は機能をインタラクトする際、端末装置のハードウェアの再構成時間を協議し、基地局は端末装置の指示に応じて端末装置がハードウェアの再構成を完成したかを確定する。
【００８８】
図８は本実施形態のフローチャートであり、図８に示すように、本実施形態において、端末装置と基地局間の通信の実現方法は以下のステップを含む。
【００８９】
端末装置と基地局はマルチキャリア要請/応答メッセージ（AAI-MC-REQ/RSP）を介し、端末装置のハードウェアの再構成時間、端末装置の受信用ラジオ波が支援する最大連続帯域幅、端末装置の送信用ラジオ波が支援する最大連続帯域幅を協議する（ステップ８０１）。
【００９０】
基地局はＡＡＩ−ＣＭ−ＣＭＤメッセージを用い、端末装置にメインキャリアを変換するように指示する（ステップ８０２）。
【００９１】
端末装置はＡＡＩ−ＣＭ−ＣＭＤメッセージを受信した後、特定の時刻からハードウェアの再構成時間パラメータが指示した時間までにおいて、ハードウェアの再構成を行う（ステップ８０３）。
【００９２】
端末装置は、ハードウェアの再構成を完成し、調節された後のキャリアにおいて通信を行う準備ができた後、基地局が割り当てたフィードバックチャネルにおいて確認情報を送信し、基地局は該フィードバック確認を受信した後、端末装置のラジオ波周波数ポイントの調節が完成したことを確定し、継続して端末装置と新たな帯域幅において通信を行う（ステップ８０４）。
【００９３】
実施形態７
本実施形態において、基地局は端末装置に領域のハンドオフを指示し、そのターゲット領域は現在の領域と異なるキャリアに位置し、第１領域から第２領域にハンドオフするか、または第２領域から第１領域にハンドオフすることができる。端末装置と基地局は能力をインタラクトする際、端末装置のハードウェアの再構成時間を協議し、基地局は端末装置の指示に応じて端末装置のハードウェアの再構成を既に完成したかを確定する。
【００９４】
図９は本実施形態のフローチャートであり、図９に示すように、本実施形態において、端末装置と基地局間の通信の実現方法は以下のステップを含む。
【００９５】
端末装置と基地局はマルチキャリア要請/応答メッセージ（AAI-MC-REQ/RSP）を介し、端末装置のハードウェアの再構成時間、端末装置の受信用ラジオ波が支援する最大連続帯域幅、端末装置の送信用ラジオ波が支援する最大連続帯域幅を協議する（ステップ９０１）。
【００９６】
基地局はＡＡＩ−ＨＯ−ＣＭＤメッセージを用い、端末装置にＭＺｏｎｅからＬＺｏｎｅにハンドオフするように指示する（ステップ９０２）。
【００９７】
端末装置はＡＡＩ−ＨＯ−ＣＭＤメッセージを受信した後、特定の時刻からハードウェアの再構成時間パラメータが指示した時間までにおいて、ハードウェアの再構成を行う（ステップ９０３）。
【００９８】
端末装置は、ハードウェアの再構成を完成し、調節された後のキャリアにおいて通信を行う準備ができた後、基地局に確認メッセージを送信し、基地局は該確認メッセージを受信した後、端末装置のラジオ波周波数ポイントの調節が完成したと確定し、継続して新たな帯域幅において端末装置と通信を行う（ステップ９０４）。
【００９９】
本発明の実施形態によると、本発明の実施形態により提供される前記方法を実現できる基地局を提供する。
【０１００】
図１０は本発明の実施形態に係る基地局の構造を示す図であり、図１０に示すように、本発明の実施形態に係る基地局は取得ユニット１０１と、送信ユニット１０３と、判定ユニット１０５と、通信ユニット１０７と、を含む。ここで、取得ユニット１０１は、端末装置と機能をインタラクトする際、端末装置の最大連続帯域幅受信機能と最大連続帯域幅送信機能を取得する。送信ユニット１０３は、取得ユニット１０１に接続され、取得ユニットが取得した端末装置の機能に応じて、端末装置のメインキャリアの変換又はサブキャリアのアクティブに用いられるメッセージを端末装置に送信する。判定ユニット１０５は、通信ユニット１０７に接続され、端末装置がハードウェアの再構成を完成したかを判定し、完成したと判定された場合、通信ユニット１０７をトリガーする。通信ユニット１０７は、端末装置と調節された後のキャリアにおいて通信を行う。
【０１０１】
上述のように、取得ユニット１０１は端末装置と機能をインタラクトする際、端末装置と端末装置のハードウェアの再構成に必要な時間長を協議することができ、協議しないこともでき、これに対応し、判定ユニット１０５は前記対応する方式によって、端末装置がハードウェアの再構成を完成したかを判定することができる。具体的な説明は省略する。
【０１０２】
上述のように、本発明の実施形態に提供される技術案によると、基地局は端末装置にメインキャリアの変換、領域のハンドオフを指示し、又は端末装置のラジオ波ルートの一つ又は複数のサブキャリアをアクティブにし、基地局は端末装置がハードウェアの再構成を完成したと判定した後、継続して端末装置と調節された後のキャリアにおいて通信を行うことによって、無線リソースの利用率を向上できる。また、本発明の実施中において、基地局は端末装置にメインキャリアの変換、領域のハンドオフを通知し、又は端末装置のあるラジオ波ルートに一つ又は複数のサブキャリアを割り当ててアクティブにした後、前記ラジオ波ルートの元のキャリアにおける通信を一時的に中断することによって、端末装置が該ラジオ波ルートの元のキャリアにおける通信を中断することによって基地局が送信したデータを受信できず基地局が送信したデータを失ってしまうことを避ける事ができる。
【０１０３】
以上は、本発明の好適な実施形態に過ぎず、本発明を限定するものではない。当業者であれば本発明に様々な修正や変形が可能である。本発明の趣旨や原則内での如何なる修正、置換、改良などは本発明の保護範囲内に含まれる。
【符号の説明】
【０１０４】
１０１  ・・・  取得ユニット
１０３  ・・・  送信ユニット
１０５  ・・・  判定ユニット
１０７  ・・・  通信ユニット
【図１】
0005565979.tif 000002
【図２】
0005565979.tif 000003
【図３】
0005565979.tif 000004
【図４】
0005565979.tif 000005
【図５】
0005565979.tif 000006
【図６】
0005565979.tif 000007
【図７】
0005565979.tif 000008
【図８】
0005565979.tif 000009
【図９】
0005565979.tif 000010
【図１０】
0005565979.tif 000011